(57)【要約】【課題】ナローガイドを確実に位置決め固定をして刈取作業をスムーズに行うと共に、手扱作業を行う際に機体側方からナローガイドを格納姿勢に簡単に切り換えることができるコンバインのナローガイド切換操作構造を提供する。【解決手段】刈取部３に設けたナローガイド２と、操縦部６側に設けたナローガイド操作レバー１５とを遠隔連繋部材５４を介して連繋し、ナローガイド操作レバー１５の操作によってナローガイド２を機体側方に張り出した作業姿勢と機体側に引き寄せた格納姿勢とに切換可能にするコンバイン１において、前記ナローガイド２の作業姿勢と格納姿勢とを位置決め保持するストッパー機構２３を設け、該ストッパー機構２３を操縦部６側とナローガイド２を備えた機体側方との両位置から、ストッパー状態と解除状態とに切換操作可能に構成した。【選択図】        図５
2006166860.tif 000002
【特許請求の範囲】
【請求項１】
走行機台（１ｂ）に刈取部（３）及び脱穀部（５）等の作業部と操縦部（６）を備え、刈取部（３）の未刈地側に植立穀稈を分草案内するナローガイド（２）を設け、該ナローガイド（２）と操縦部（６）側に設けたナローガイド操作レバー（１５）とを遠隔連繋部材（５４）を介して連繋し、ナローガイド操作レバー（１５）の操作によってナローガイド（２）を機体側方に張り出した作業姿勢と機体側に引き寄せた格納姿勢とに切換可能にするコンバイン（１）において、前記ナローガイド（２）の作業姿勢と格納姿勢とを位置決め保持するストッパー機構（２３）を設け、該ストッパー機構（２３）を操縦部（６）側とナローガイド（２）を備えた機体側方との両位置から、ストッパー状態と解除状態とに切換操作可能に構成したコンバインのナローガイド切換操作構造。
【請求項２】
機体側方に設けたストッパ解除レバー（６０）によって、ストッパー機構（２３）を切換操作可能に構成した請求項１記載のコンバインのナローガイド切換操作構造。
【発明の詳細な説明】
【技術分野】
【０００１】
本発明はコンバインのナローガイド切換操作構造に関する。
【背景技術】
【０００２】
従来、刈取部及び脱穀部等の作業部と操縦部を備えたコンバインの未刈地側に設置されるナローガイドを、操縦部側に設けたナローガイド操作レバーの操作によって、ナローガイドを機体側方に張り出して植立穀稈を分草案内する作業姿勢と、機体側に引き寄せた格納姿勢とに切換可能に構成したナローガイド切換操作構造は、特許文献１で示されるように既に公知である。
【特許文献１】実開昭５９−４４２２８公報
【発明の開示】
【発明が解決しようとする課題】
【０００３】
上記特許文献１のナローガイド切換操作構造は、操縦部側でナローガイド操作レバーを格納姿勢位置から作業姿勢位置へ操作したとき、ナローガイドは姿勢保持を解除され張り出し方向に回動し作業姿勢へ切り換えることができる。
然し、このコンバインではナローガイド操作レバーの格納姿勢への操作が失念され、ナローガイドが作業姿勢側に切り換えられたまま、手刈り穀稈の手扱作業が行われる場合に、張り出したナローガイドは手扱作業の邪魔になり、作業者は操縦部側に移動してナローガイド操作レバーを格納姿勢側に操作しなければならない欠点がある。またナローガイドは速やかに格納姿勢にすることができずに、煩雑な操作と手扱作業を非能率にする等の問題がある。
【課題を解決するための手段】
【０００４】
上記課題を解決するために本発明のコンバインのナローガイド切換操作構造は、第１に、走行機台１ｂに刈取部３及び脱穀部５等の作業部と操縦部６を備え、刈取部３の未刈地側に植立穀稈を分草案内するナローガイド２を設け、該ナローガイド２と操縦部６側に設けたナローガイド操作レバー１５とを遠隔連繋部材５４を介して連繋し、ナローガイド操作レバー１５の操作によってナローガイド２を機体側方に張り出した作業姿勢と機体側に引き寄せた格納姿勢とに切換可能にするコンバイン１において、前記ナローガイド２の作業姿勢と格納姿勢とを位置決め保持するストッパー機構２３を設け、該ストッパー機構２３を操縦部６側とナローガイド２を備えた機体側方との両位置から、ストッパー状態と解除状態とに切換操作可能に構成したことを特徴としている。
【０００５】
第２に、機体側方に設けたストッパ解除レバー６０によって、ストッパー機構２３を切換操作可能に構成したことを特徴としている。
【発明の効果】
【０００６】
以上のように本発明によれば、ナローガイドの作業姿勢と格納姿勢とを位置決め保持するストッパー機構を、操縦部側とナローガイドを備えた機体側方との両位置から切換操作可能に構成したことにより、操縦部から作業姿勢に切り換えたナローガイドを確実に位置決め保持をして刈取作業をスムーズに行うことができる。また手扱作業を行う際にナローガイドの格納姿勢への切り換えを失念したとしても、作業者が操縦部に移動してナローガイド操作レバーを操作することなく、機体側方の手扱作業位置からストッパー機構をストッパー状態から解除状態に切換操作し、ナローガイドを手で持って格納姿勢に切り換えることができるので、ナローガイドに支障されることなく手扱作業を能率よく続行することができる。
【０００７】
機体側方からストッパ解除レバーによってストッパー機構を簡単に操作することができると共に、ナローガイドを速やかに格納姿勢に切り換えて手扱作業を能率よく続行することができる。
【発明を実施するための最良の形態】
【０００８】
本発明の一実施形態を図面に基づいて説明する。図１において符号１は、本発明に係わるナローガイド２とその操作構造を備えたコンバインであり、クローラー式の走行装置１ａを備えた走行機台１ｂに、刈取部３と脱穀部５等の作業部を従来のものと同様に前後方向に配置し、刈取部３の後方で脱穀部５の右側に操縦部６とグレンタンク７を配置し、脱穀部５の後方に排藁カッター装置９を備えた構成となっている。
【０００９】
この構成により、刈取部３で刈り取られた植立穀稈は脱穀部５に搬送供給し脱穀を行い、脱穀済の排稈は排藁カッター装置９を経て、切断状態又は非切断の長藁状態のまま機外に排出される。また脱穀部５によって脱穀選別された穀粒は、グレンタンク７に収容され一連のコンバイン作業を行うことができる。
【００１０】
操縦部６は、操縦ステップ１０の前側と左側に前部操縦パネル部１１と側部操縦パネル部１２を平面視で逆Ｌ字状に立設し、操縦ステップ１０の後方に運転座席１０ａを設置した構成とされる。
上記前部操縦パネル部１１には操舵レバー等が設置され、側部操縦パネル部１２には主変速レバー及び副変速レバー並びに作業機操作レバー等が前後方向に配置される。
【００１１】
また側部操縦パネル部１２の左側壁には、図４で示す排藁カッターレバー（排藁搬送切換レバー）１３とナローガイド操作レバー１５を、それぞれ操作案内するカッターレバー溝１６とナローガイド操作レバー溝１７を穿設したレバーガイド１９を設けている。
排藁カッターレバー１３は前後方向の操作によって、排藁カッター装置９の搬送経路に設置された図示しない搬送切換部材を非切断位置と切断位置とに択一的に切り換えるように構成されている。これによりカッターレバー溝１６は前側操作位置において排藁を非切断の長藁のまま排出することができ、また後側操作位置において排藁を排藁カッター装置９に供給し細断し排出することができる。
【００１２】
ナローガイド操作レバー１５は、支軸１５ａを支点にナローガイド操作レバー溝１７に沿って前後方向に操作すると、後述するナローガイド切換機構２０を介し、前側の格納姿勢位置においてナローガイド２を格納姿勢にすることができ、後側の作業姿勢位置で作業姿勢に切り換えることができる。またナローガイド操作レバー１５の前後方向の操作は、その中途部に突設した支軸２１に設けたストッパ解除レバー２２を握り操作することによってロック状態（以下ストッパー状態と言う）を解除して行うことができる。
【００１３】
図５で示すように上記ストッパ解除レバー２２は、ナローガイド切換機構２０に設けたストッパー機構２３と遠隔連繋部材としてのワイヤ２４で連結している。これによりストッパ解除レバー２２を握り操作すると、後述するようにワイヤ２４を介してストッパー機構２３をストッパー状態から解除状態に切り換え、ナローガイド操作レバー１５の前後方向への操作を自由に行うことができる。
【００１４】
刈取部３は刈取部フレーム２５の後端を、走行機台１ｂの前側に立設される支柱２６に横支持軸２７によって回動可能に支持し、且つ刈取部フレーム２５の中途部を走行機台１ｂ側から油圧シリンダ２９によって昇降作動可能に支持される。
また刈取部３は刈取部フレーム２５から前側に複数延設される分草フレーム３０に、分草体３１と穀稈引起体３２を前後方向に設け、分草体３１によって仕分けた（分草した）植立穀稈を穀稈引起体３２によって起立させ、刈刃で刈り取った穀稈を脱穀部５に向けて搬送する。
【００１５】
次にナローガイド２及びナローガイド切換機構２０等について説明する。図１，図２，図３で示すようにナローガイド２は、穀稈未刈地側となる機体の左側に従来のものと同様な支持構造によって格納姿勢とガイド姿勢に切換可能に設置される。
即ち、ナローガイド２は先端部を分草フレーム３０の分草体３１の下部に設けた回動支持部３５によって取付支持され、且つ後端部側を刈取部フレーム２５の取付部材３６に構成したナローガイド切換機構２０の支持アーム３７によって姿勢変更可能に支持される。  
【００１６】
また図示例のナローガイド２は後端部に設けたジョイント部３９に、走行機台１ｂ側の支持部４０に遊嵌支持される補助ナローガイド２ａを接続している。この補助ナローガイド２ａは支持部４０を支点としナローガイド２の作動に追動するから、ナローガイド２の姿勢変更を妨げることがない。またナローガイド２で分草案内される穀稈の案内を引き継いで、穀稈穂先側を機体から離間させるように誘導する。
【００１７】
ナローガイド切換機構２０は、図５で示すように前記取付部材３６に立設される支持軸５０に支持アーム３７の基端部側に設けた切換片５１の中央部を回動可能に枢支し、且つ該切換片５１の左右を格納ワイヤ５２と張出ワイヤ５３からなる遠隔連繋部材５４によって、ナローガイド操作レバー１５の基端部の両側とそれぞれ連結している。
【００１８】
支持アーム３７は先端に設けたフック部５５を、ナローガイド２に沿って形成したナローガイド支持部５６にスライド可能に嵌挿させている。これにより支持アーム３７はナローガイド操作レバー１５の操作によって、格納ワイヤ５２と張出ワイヤ５３を介し支持軸５０を中心に回動するとき、フック部５５がナローガイド支持部５６をスライド把持しながら押し引き作動し、ナローガイド２の姿勢変更をスムーズに行うことができる。
【００１９】
この構成においてナローガイド切換機構２０は、図５に示すように前記ナローガイド操作レバー１５のストッパ解除レバー２２と連繋するストッパー機構２３を設け、且つストッパー機構２３はその近傍に設置されるストッパ解除レバー６０によっても、ナローガイド２が設置される機体側方で地上からの操作を簡単に行うことができる。
【００２０】
即ち、ストッパー機構２３はワイヤ２４の先端に接続されるストッパー部材６１を、取付部材３６に設けたホルダ６２にスライド可能に嵌挿支持し、且つスプリング６３によってストッパー方向に突出付勢している。
また前記切換片５１の外周面には上記ストッパー部材６１を挿脱可能に嵌合させる凹溝状のストッパー部６５，６６を、ナローガイド２の格納姿勢と作業姿勢に対応する位置に形成している。
【００２１】
また取付部材３６に立設した支軸６０ａに枢支されるストッパ解除レバー６０と上記ストッパー部材６１は、ピン状の係合部を長孔状の係合孔に係合させる等の係合構造を介して係合連結している。
この構成により図５に示すように、ストッパ解除レバー６０が機体側方から支軸６０ａを支点に矢印方向に回動操作されると、ストッパー部材６１がスプリング６３に抗して作動し、ワイヤ２４を撓ませてストッパー部６５から離脱し格納姿勢に位置決めしたストッパ状態を解除する。
【００２２】
この状態において作業者が、機体側方から格納姿勢にあるナローガイド２を手で持って引き出して点線で示す作業姿勢に変更すると、切換片５１の回動に伴いストッパー部材６１をスプリング６３の付勢力によってストッパー部６６に係合させることができ、作業姿勢を位置決めしストッパー状態に切り換えることができる。
【００２３】
また作業姿勢にあるナローガイド２を機体側方から格納姿勢に切り換えるときは、上記と同様にストッパ解除レバー６０を解除操作し、ストッパー部材６１をストッパー部６６から離脱させる。この状態でナローガイド２を直接的に手で押し込みストッパー部材６１をストッパー部６５に係合させ格納姿勢に切り換える。
【００２４】
以上のように構成したナローガイド切換操作構造を備えるコンバイン１は、ストッパ解除レバー２２を握り操作しストッパー部材６１とストッパー部６５，６６との係合を解除しながら、ナローガイド操作レバー１５をナローガイド操作レバー溝１７の格納姿勢位置及び作業姿勢位置の何れかに操作し、ストッパ解除レバー２２から手を離す。
【００２５】
これによりストッパー部材６１はスプリング６３の付勢力によって再びストッパー部６５或いはストッパー部６６に係合させることができ、ナローガイド２を格納姿勢又は作業姿勢に位置決め保持することができる。
従って、ナローガイド２がコンバイン作業に伴う走行振動や自重によって姿勢変更をしようとしても、ナローガイド２は操作位置において姿勢を保持する。
【００２６】
また作業姿勢にあるときナローガイド２は、穀稈の分草抵抗によって格納姿勢側に押圧され姿勢変更をなされようとするが、ストッパー機構２３の係合ロックによって作業姿勢を適正に保持することができるから、穀稈の分草案内を良好に行い刈取作業をスムーズに行うことができる。
【００２７】
さらに機体側方に設けたストッパ解除レバー６０によってストッパー機構２３を切換操作可能に構成したコンバイン１は、例えばナローガイド操作レバー１５によってナローガイド２が作業姿勢に切り換えられたまま、格納姿勢への切り換え操作が失念されて、手刈り穀稈の手扱作業が行われる場合に、作業者が操縦部６に移動してナローガイド操作レバー１５を操作することなく、機体側方の手扱作業位置からストッパ解除レバー６０を素早く操作しストッパー状態から解除状態へと切り換えることができる。従って、ナローガイド２を速やかに格納姿勢に切り換えて、手扱作業をナローガイド２に支障されることなく続行することができる。
【００２８】
尚、図示例のナローガイド切換操作構造は、取付部材３６側に設けたストッパー部材６１をストッパ解除レバー２２及びストッパ解除レバー６０によって操作する構成としたが、これに限定することなくストッパー部材６１はナローガイド２側で、例えば支持アーム３７に設けることもできる。この場合にはストッパー部６５，６６を取付部材３６側に形成すると共に、ストッパ解除レバー６０を支持アーム３７側に設けることが望ましい。
【００２９】
また図６に示すように、このコンバイン１の分草体３１は刈取部フレーム２５側の分草フレーム３０に対し、分草体３１を前後及び左右方向に融通作動可能に支持する融通機構７０を介して設置している。これにより分草体３１が畦等に接当したり地面に大きく突入した際に、融通機構７０の融通支持によって前後或いは左右に退避作動し、負荷を逃がしたのちに復帰作動し、分草体３１及び分草フレーム３０等の損傷を防止し保護する構成となっている。
【００３０】
即ち、融通機構７０は分草体３１を支持する分草杆７１を分草フレーム３０の先端部内にスライド可能に嵌挿支持し、分草フレーム３０内に挿入した張りスプリング７２によって前側に付勢支持すると共に、上記分草杆７１に対し先端部に分草体３１を有する先端分草杆７３を、両者の内部に介挿した牽引ワイヤ７５によって、分草フレーム３０内から引っ張り支持する構成となっている。
【００３１】
上記牽引ワイヤ７５は、その先端部を先端分草杆７３内に固定し、後端部を分草フレーム３０内で張りスプリング７６によってスライド可能に張り支持される支持片７７と連結させている。７９は分草フレーム３０内でスプリング７２とスプリング７６を位置決め支持するスプリング座である。
この構成により分草体３１は、スプリング７２によって前後方向の負荷を緩衝することができると共に、スプリング７６及び牽引ワイヤ７５によって分草杆７１の先端部で左右回動可能に支持付勢され左右負荷を緩衝することができる。
【図面の簡単な説明】
【００３２】
【図１】本発明のナローガイド操作構造を備えたコンバインの全体側面図である。
【図２】図１のナローガイドを格納姿勢にした状態を示す平面図である。
【図３】図１のナローガイドを作業姿勢にした状態を示す平面図である。
【図４】ナローガイド操作レバー及びレバーガイドの構成を示す斜視図である。
【図５】ナローガイド切換操作構造を示す要部の構造図である。
【図６】分草体の融通機構を示す平断面図である。
【符号の説明】
【００３３】
１    コンバイン
１ｂ  走行機台
２    ナローガイド
３    刈取部
５    脱穀部
６    操縦部
１５  ナローガイド操作レバー
１７  ナローガイド操作レバー溝
１９  レバーガイド
２０  ナローガイド切換機構
２２  ストッパ解除レバー
２３  ストッパー機構
２４  ワイヤ
３６  取付部材
６０  ストッパ解除レバー
【図１】
2006166860.tif 000003
【図２】
2006166860.tif 000004
【図３】
2006166860.tif 000005
【図４】
2006166860.tif 000006
【図５】
2006166860.tif 000007
【図６】
2006166860.tif 000008